【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
ボトル口部と、このボトル口部に連なるボトル肩部と、このボトル肩部に連なるボトル胴部と、を備えたプラスチックボトルであって、
前記ボトル胴部は、
当該ボトル胴部のうち、その中心軸から外壁までの距離が最も短い部分を有するくびれ部であって、略六角形の断面形状からなるくびれ部と、
前記くびれ部から前記中心軸の上方に向かって徐々に又は段階的に拡開するように形成された上側胴部と、
前記くびれ部から前記中心軸の下方に向かって徐々に又は段階的に拡開するように形成された下側胴部と、を備え、
前記ボトル胴部において前記中心軸から外壁までの最大距離をＬ１とし、前記くびれ部において前記中心軸から前記略六角形の一辺に相当する部位までの距離をＬ２としたとき、
比Ｌ２／Ｌ１が７１％以上９０％以下に設定され、
前記Ｌ１が設定された部分は、前記ボトル胴部の最大径を構成する円周部であり、且つ、前記上側胴部の上端部及び前記下側胴部の下端部に形成されているプラスチックボトル。
【請求項２】
ボトル口部と、このボトル口部に連なるボトル肩部と、このボトル肩部に連なるボトル胴部と、を備えたプラスチックボトルであって、
前記ボトル胴部は、
当該ボトル胴部のうち、その中心軸から外壁までの距離が最も短い部分を有するくびれ部であって、略六角形の断面形状からなるくびれ部と、
前記くびれ部から前記中心軸の上方に向かって徐々に又は段階的に拡開するように形成された上側胴部と、
前記くびれ部から前記中心軸の下方に向かって徐々に又は段階的に拡開するように形成された下側胴部と、を備え、
前記ボトル胴部において前記中心軸から外壁までの最大距離をＬ１とし、前記くびれ部において前記中心軸から前記略六角形の一辺に相当する部位までの距離をＬ２としたとき、
Ｌ１が３０ｍｍ以上３５ｍｍ以下に設定され、且つＬ２が２５ｍｍ以上２７ｍｍ以下に設定され、
前記Ｌ１が設定された部分は、前記ボトル胴部の最大径を構成する円周部であり、且つ、前記上側胴部の上端部及び前記下側胴部の下端部に形成されているプラスチックボトル。
【請求項３】
前記くびれ部は、当該プラスチックボトルの重心から２０ｍｍ以内に位置している請求項１又は２に記載のプラスチックボトル。
【請求項４】
前記略六角形の各コーナーは、面取り及びＲ取りの少なくとも一方がなされている請求項１ないし３のいずれか一項に記載のプラスチックボトル。
【請求項５】
前記くびれ部には、凹状のリブが形成されている請求項４に記載のプラスチックボトル。
【請求項６】
前記リブは、前記くびれ部の周方向に亘って形成されている請求項５に記載のプラスチックボトル。
【請求項７】
前記リブは、リブ底面と、前記リブ底面の上縁に連なる上側リブ周面と、前記リブ底面の下縁に連なる下側リブ周面と、を有し、
前記リブ底面の外形形状は、前記上側リブ周面又は前記下側リブ周面の外形形状と非相似である請求項６に記載のプラスチックボトル。
【請求項８】
前記上側胴部及び前記下側胴部は、多面体で構成されている請求項１ないし７のいずれか一項に記載のプラスチックボトル。
【請求項９】
前記ボトル胴部の下側に連なるボトル底部をさらに備え、
前記ボトル底部の外壁は、前記くびれ部と同程度まで、前記中心軸の下方に向かって徐々に又は段階的に絞られるように形成されている請求項１ないし８のいずれか一項に記載のプラスチックボトル。
【請求項１０】
多面体からなるボトル胴部を備えたプラスチックボトルであって、
前記ボトル胴部は、周方向に亘って形成された凹状のリブを有し、
前記リブは、リブ底面と、当該リブ底面の上縁に連なる上側リブ周面と、当該リブ底面の下縁に連なる下側リブ周面と、を有し、
前記リブ底面の外形形状は、前記上側リブ周面又は前記下側リブ周面の外形形状と非相似であり、
前記リブは、略六角形の断面形状からなり、
前記リブ底面の外形形状の各コーナーは、Ｒ取りされ、
前記上側リブ周面又は前記下側リブ周面の外形形状の各コーナーは、面取りされているプラスチックボトル。
【請求項１１】
前記上側リブ周面の外形形状と前記下側リブ周面の外形形状とは、同じである請求項１０に記載のプラスチックボトル。
【請求項１２】
前記リブ底面の外形形状のコーナーの屈曲面のうち中心軸から最も距離が遠い部位と、当該中心軸とを結ぶ直線上には、前記上側リブ周面又は前記下側リブ周面の外形形状のコーナーの屈曲点が位置していない請求項１１に記載のプラスチックボトル。
【請求項１３】
前記多面体は、略六面体である請求項１０ないし１２のいずれか一項に記載のプラスチックボトル。
【請求項１４】
前記リブは、前記ボトル胴部の上下中間部に設けられている請求項１０ないし１３のいずれか一項に記載のプラスチックボトル。
【請求項１５】
前記ボトル胴部の上端部及び下端部は、前記リブの上下にそれぞれ位置するように、周方向に亘って形成された凹状のリングを有する請求項１０ないし１４のいずれか一項に記載のプラスチックボトル。
【請求項１６】
ボトル口部と、このボトル口部に連なるボトル肩部と、このボトル肩部に連なるボトル胴部と、を備えたプラスチックボトルであって、
前記ボトル肩部は、周方向に亘って形成された段部を有し、
前記段部は、
鉛直な周面と、
前記鉛直な周面の下端に連なり、外方に湾曲した球帯状の周面と、
を備え、
当該プラスチックボトルが、さらに、
前記ボトル肩部と前記ボトル胴部との境界を規定し、周方向に亘って形成された凹状のリングと、
前記球帯状の周面の下端と前記リングとの間に、この両者に隣接するように形成された最大径部と、を備えた、プラスチックボトル。
【請求項１７】
前記鉛直な周面と前記球帯状の周面との間は、Ｒ取りされている請求項１６に記載のプラスチックボトル。
【請求項１８】
断面円形の円周部を有するボトル壁を備えたプラスチックボトルであって、
前記円周部は、周方向に亘って形成された凹状のリブを有し、
前記ボトル壁は、奇数角の多角形状からなる減圧吸収パネルを有し、
前記減圧吸収パネルは、その一辺が前記円周部の近傍において周方向に沿って位置すると共に、少なくとも前記一辺が凹状に落とし込まれており、
前記減圧吸収パネルは、前記一辺におけるパネル深さが最も深くなり、且つ前記一辺から最も遠い頂点のパネル深さがなくなるように、当該一辺から当該頂点に向かってパネル深さが漸次変えられているプラスチックボトル。
【請求項１９】
前記減圧吸収パネルの前記一辺は、前記円周部から２ｍｍ以上１０ｍｍ未満の位置にある請求項１８に記載のプラスチックボトル。
【請求項２０】
前記減圧吸収パネルは、前記ボトル壁において周方向に複数が等間隔に配設されている請求項１８又は１９に記載のプラスチックボトル。
【請求項２１】
前記一辺から最も遠い頂点のパネル深さは、ゼロである請求項１８ないし２０のいずれか一項に記載のプラスチックボトル。
【請求項２２】
前記奇数角の数は、３である請求項１８ないし２１のいずれか一項に記載のプラスチックボトル。
【請求項２３】
前記一辺から最も遠い頂点から当該一辺に引いた直線は、当該一辺に垂直に交わる二等分線となる請求項１８ないし２２のいずれか一項に記載のプラスチックボトル。
【請求項２４】
前記一辺に接する二頂点は、Ｒ５以下のＲ取りがされている請求項１８ないし２３のいずれか一項に記載のプラスチックボトル。
【請求項２５】
前記減圧吸収パネルは、前記円周部を挟んで上下にそれぞれ設けられている請求項１８ないし２４のいずれか一項に記載のプラスチックボトル。
【請求項２６】
前記円周部は、中心軸方向に離間して少なくとも二つが設けられ、
前記減圧吸収パネルは、前記少なくとも二つの円周部に対応して設けられている請求項１８ないし２５のいずれか一項に記載のプラスチックボトル。